(57)【特許請求の範囲】
【請求項１】
車両の外観意匠を構成するフードアウタパネルと、
該フードアウタパネルの裏面に取り付けられるフードインナパネルと、
フードと前記車両の車体とをロックするストライカと、
を備えるフードであって、
前記フードインナパネルは、前記車両の車幅方向の一端側から他端側に亘って開口し、その前端が前記ストライカの後方に位置される開口部と、
該開口部の周縁に、該開口部側に向けて段を形成する段部と、
前記開口部の前側のフードインナパネル前部とを備え、
前記段部と前記フードインナパネル前部の後端とは、前記開口部の周縁に沿って前記車両の車幅方向の一端側から他端側に亘って前記フードアウタパネルと離間して形成されており、
前記フードインナパネルの前記開口部の周縁の後側は、前記フードアウタパネルに接合されているフード。
【請求項２】
請求項１に記載のフードであって、
前記フードインナパネルの開口部は、前記車両の車幅方向の一端側から他端側に亘って連続して開口しているフード。
【請求項３】
請求項１又は請求項２のいずれかに記載のフードであって、
前記フードインナパネルを補強するロックリインフォースを備えており、
前記ロックリインフォースには、デントリインフォースを下方から支える傾斜部が設けられており、
前記デントリインフォースにより前記フードアウタパネルが裏面側から支持されるフード。
【請求項４】
請求項１から請求項３に記載のフードであって、
前記段部は、前記フードアウタパネルの裏面から80mm以上離れて配置されているフード。
【請求項５】
請求項１から請求項４のいずれかに記載のフードであって、
前記段部は、前記開口部の周縁のうち、前記フードインナパネルの前部側に形成されているフード。
【請求項６】
請求項１から請求項５のいずれかに記載のフードであって、
前記開口部の周縁は、複数の段部を有し、
前記各段部は、前記開口部の周縁に沿って前記車両の車幅方向の一端側から他端側に亘って形成されているフード。
【請求項７】
請求項１から請求項６のいずれかに記載のフードであって、
前記車両の前後方向の長さより前記車両の車幅方向の長さが大きいフード。
【発明の詳細な説明】
【技術分野】
【０００１】
本発明は、車両のフードに関する。
【背景技術】
【０００２】
車両のフードは、ユーザーが通常使用することによってフードを開閉する際に歪まない程度の剛性を保つことが必要とされる。またその一方で不用意に車両の前部に歩行者の頭部が衝突した場合、歩行者の頭部の衝撃を緩和するためフードを潰れ易くして変形量を確保しながら、歩行者の衝撃荷重を抑制することが望ましい。特許文献１の車両のエンジンフードは、車両の意匠面を構成するフードアウタパネルと、フードの使用時の剛性を確保するためにフードアウタパネルの裏面に取り付けられているフードインナパネルとを備える。このフードインナパネルは、軽量化のために孔を開けて形成される複数の開口部を有する。この各開口部は、車幅方向に沿って並んでいる。このエンジンフードは、このくり抜かれた部分の各開口部によって低下したフード全体の剛性を、各開口部の間に形成されている硬い骨格の部分を残して使用時の剛性を維持していた。
【先行技術文献】
【特許文献】
【０００３】
【特許文献１】特開２００７−２２３４３３号公報
【発明の概要】
【発明が解決しようとする課題】
【０００４】
しかしながら、上記特許文献１の車両のエンジンフードは、歩行者の頭部がエンジンフードに衝突した場合、フードインナパネルの各開口部の間に残された硬い骨格の部分によりエンジンフードの変形が阻害され、歩行者の頭部の進入が妨げられて変形量を稼ぐことができなかった。即ち、エンジンフードの衝突荷重吸収量が低く歩行者頭部が受ける衝撃力が大きくなる恐れがある。
【０００５】
本発明は、上述の点に鑑みて創案されたものであり、本発明が解決しようとする課題は、使用時に要求されるフード全体の剛性を維持しながら、歩行者がフードに衝突した際のフードの変形量を確保して歩行者保護性能を向上することにある。
【課題を解決するための手段】
【０００６】
本発明のフードは、車両の外観意匠を構成するフードアウタパネルと、該フードアウタパネルの裏面に取り付けられるフードインナパネルと、フードと前記車両の車体とをロックするストライカとを有する。このフードインナパネルは、車両の車幅方向の一端側から他端側に亘って開口し、その前端が前記ストライカの後方に位置される開口部を有する。またフードは、該開口部の周縁に、該開口部側に向けて段を形成する段部と、前記開口部の前側のフードインナパネル前部とを備えている。そして、前記段部と前記フードインナパネル前部の後端とは、前記開口部の周縁に沿って前記車両の車幅方向の一端側から他端側に亘って前記フードアウタパネルと離間して形成されており、前記フードインナパネルの前記開口部の周縁の後側は、前記フードアウタパネルに接合されている。
また、このフードでは、フードインナパネルの開口部は、前記車両の車幅方向の一端側から他端側に亘って連続して開口している。
さらに、このフードでは、フードインナパネルを補強するロックリインフォースを備えており、前記ロックリインフォースには、デントリインフォースを下方から支える傾斜部が設けられており、前記デントリインフォースにより前記フードアウタパネルが裏面側から支持される。
また、このフードでは、段部は、前記フードアウタパネルの裏面から80mm以上離れて配置されている。
【０００７】
この場合、フードインナパネルが、開口部を有し、その開口部が車両の車幅方向の一端側から他端側に亘って開口しているためフードへの衝突時における人の頭部の進入を妨げないので、衝撃をやわらげることができる。その一方で、開口部の周縁に沿って車両の車幅方向の一端側から他端側に亘って形成された開口部の周縁の段部によって、フードの使用時の剛性を維持できる。そして、この段部が、フードアウタパネルと離間されて形成されるので、歩行者がフードに衝突して、フードアウタパネルが変形したとき、フードインナパネルの段部に接触しにくく変形量を確保することできる。
【０００８】
このフードでは、段部は、開口部の周縁のうち、フードインナパネルの前部側に形成されていることが好ましい。この場合、開口部の周縁のうち、より歩行者が接触しやすいフードインナパネルの前部側にフードアウタパネルと離間した段部が形成されているので、歩行者がフードに衝突した際の変形量を必要な部分に応じてさらに効率よく確保しながら、フードの使用時の剛性を維持することできる。
【０００９】
またこのフードでは、開口部の周縁は、複数の段部を有し、各段部は、開口部の周縁に沿って車両の車幅方向の一端側から他端側に亘って形成されていることが好ましい。この場合、開口部の周縁は、複数の段部の形状によって、段部の面積をできるだけ小さくしながら、その各段部により剛性を向上することができる。段部の面積を大きくする必要がないため、段部をフードアウタパネルから離間させやすい。また開口部を広く確保しやすい。したがって、フードの使用時の剛性を維持しながら、歩行者がフードに衝突した際の変形量を確保することできる。
【００１０】
またこのフードは、車両の前後方向の長さより車両の車幅方向の長さが大きいことが好ましい。この場合、車両の車幅方向の一端側から他端側に亘って開口した開口部を有するフードインナパネルであっても、段部の長手方向がフードの長手方向に沿うため使用時の剛性を維持しやすい。したがって、バランスよく使用時のフード全体の剛性を維持しながら、歩行者がフードに衝突した際の変形量を確保することできる。
【発明の効果】
【００１１】
本発明によれば、使用時のフード全体の剛性を維持しながら、歩行者がフードに衝突した際でもフードの変形量を確保して歩行者保護性能を向上させることができる。
【図面の簡単な説明】
【００１２】
【図１】第１の実施形態に係る車両の前部斜視図である。
【図２】図１に示されるフードの上方から見たフードインナパネルの平面図である。
【図３】図２に示されるフードインナパネルのＩＩＩ−ＩＩＩ断面に対応して示したフード断面図である。
【図４】図２に示されるフードインナパネルのＩＶ−ＩＶ断面に対応して示したフードの断面図である。
【図５】図２に示されるフードインナパネルのＶ−Ｖ断面に対応して示したフードの断面図である。
【図６】図３に示されるフードの部位における歩行者衝突時の歩行者頭部が受ける衝撃力の大きさ及び経過時間を示したグラフである。
【発明を実施するための形態】
【００１３】
第１の実施形態について説明する。本実施形態のフード１０は、ミニバンタイプの車両Ｃのフード１０に適用できる。なお、図中の前後左右及び上下は、車両Ｃにおける前後左右及び上下を表している。
【００１４】
図１に示されるフード１０は、フード１０の下部空間に設けられる車両ＣのエンジンルームＥＲを覆うものである。フード１０は、車両Ｃの前側における外観の意匠面の一部を構成している。フード１０は、車両の前後方向の長さよりも車両の車幅方向（左右方向）の長さが大きくなるように形成されている。フード１０の表面は、車両の前後方向の前端側が下方に曲げられて形成されている。フード１０は、車両の前後方向の後端側がヒンジ（図示しない）を介して車両Ｃに連結されている。そのヒンジによってフード１０の後端部を中心軸として回動され、エンジンルームＥＲが開閉可能に構成されている。フード１０は、図３及び図４に示すようにフードアウタパネル１２と、フードインナパネル１６とを備える。フード１０は、図１に示すようにその前端の略中央部分にフードモール１４が配置されている。
【００１５】
フードアウタパネル１２は、図１、図３及び図４に示すようにフード１０の表面を形成するパネルでフード１０が閉じた状態で、意匠面を形成している。フードアウタパネル１２は、厚さが０．６ｍｍ〜０．８ｍｍ程度で略平板状に形成されている。
【００１６】
フードインナパネル１６は、図２〜図４に示すようにフード１０の裏面を形成するものである。フードインナパネル１６は、輪郭形状がフードアウタパネル１２の輪郭形状と略同じであり、車両の前後方向の長さよりも車両の車幅方向の長さが大きくなるように形成されている。フードインナパネル１６の外周縁は、フードアウタパネル１２の外周縁（端縁）に対して裏側から接合されている。そのため、フード１０の端縁の接合による剛性を確保できる。フードインナパネル１６は、厚さが０．５ｍｍ〜０．６ｍｍ程度で略平板状に形成されている。
【００１７】
フードインナパネル１６は、図２〜図４に示すようにフードインナパネル前部１６０と、フードインナパネル後部１６２と、開口部１６４とを備える。フードインナパネル前部１６０は、フードインナパネル１６の前側を形成する部位である。フードインナパネル後部１６２は、フードインナパネル１６の後側を形成する部位である。開口部１６４は、フードインナパネル前部１６０と、フードインナパネル後部１６２とを区分けする開口である。開口部１６４は、フードインナパネル１６の略中央部分で略楕円状に開けられている。開口部１６４は、車両の車幅方向の一端側から他端側に亘って連続して開口されている。その開口の車両の前後方向における長さは、開口部１６４の略中央部分で、フードインナパネル１６の前後両端における長さの４分の１〜３分の１程度を占めている。
【００１８】
フードインナパネル前部１６０は、図２に示すように車両の車幅方向の一端側から他端側に亘って連続して形成されている。フードインナパネル前部１６０は、その前端側（外周縁）がヘミング接合により、フードアウタパネル１２と接合されている。そのヘミング接合された部位は、フードアウタパネル１２が表面から折り返され、その折り返されたフードアウタパネル１２がフードインナパネル前部１６０を挟むようにして形成されている。フードインナパネル前部１６０は、図２〜図４に示すように前壁部６０２と、底部６０４と、縁部６０６とを備える。
【００１９】
前壁部６０２は、図３及び図４に示すようにフードインナパネル前部１６０の前側（外周側）に形成される部位である。前壁部６０２は、断面視でフードアウタパネル１２の表面に対して上端側から下端側にかけて傾斜した状態で配置されている。前壁部６０２は、上下方向の略中央部分が谷折り山折りの連続した屈曲部分を有して形成されている。その屈曲部分は、車両の車幅方向の一端側から他端側に亘って連続して形成されている。前壁部６０２は、一端側（上端側）がフードアウタパネル１２と接合されている。前壁部６０２は、他端側（下端側）が底部６０４と接続されている。
【００２０】
縁部６０６は、図３及び図４に示すようにフードインナパネル前部１６０の後側（開口部１６４側）に形成される部位である。縁部６０６は、開口部１６４側に向けて段を形成し、開口部１６４の前側の周縁に沿って、車両の車幅方向の一端側から他端側に亘って連続して形成されている。縁部６０６は、第一曲部６０１と、第二曲部６０３と、第一延設部６０５と、第二延設部６０７とを備える。なお第一延設部６０５と第二延設部６０７は、本発明の「段部」に相当する。
【００２１】
第一曲部６０１は、図３及び図４に示すようにフードインナパネル前部１６０の裏面で凸状に形成している。その凸状による形状は、最下部が丸みを帯びている。なお谷折りのように最下部を屈曲させて形成してもよい。第一曲部６０１は、開口部１６４の周縁に沿って車両の車幅方向の一端側から他端側に亘って連続して湾曲状に形成されている。第二曲部６０３は、フードインナパネル前部１６０の表面（上面）で凸状に形成している。その凸状による形状は、最上部が丸みを帯びている。なお山折りのように最上部を屈曲させて形成してもよい。第二曲部６０３は、開口部１６４の周縁に沿って車両の車幅方向の一端側から他端側に亘って連続して湾曲状に形成されている。第二曲部６０３は、フードインナパネル前部１６０側で、かつ、開口部１６４の周縁の最も開口部１６４側で、曲がりラインを形成している。
【００２２】
第一延設部６０５は、図２〜図４に示すように第一曲部６０１と第二曲部６０３との間に形成される部位である。第一延設部６０５は、開口部１６４の周縁に沿って車両の車幅方向の一端側から他端側に亘って連続して形成されている。第二延設部６０７は、第二曲部６０３と、縁部６０６の先端部（縁部６０６と開口部１６４の境界部分）との間に形成され、この開口部１６４側に向けて段を形成する部位である。第二延設部６０７は、開口部１６４の周縁に沿って車両の車幅方向の一端側から他端側に亘って、フードアウタパネル１２と離間した状態で形成されている。その第二延設部６０７は、フードアウタパネル１２への人の頭部Ｈの衝突時における最大の侵入量（変形量）より下方に配置されている。フードアウタパネル１２の面と略垂直方向に対して、フードアウタパネル１２の裏面から第二延設部６０７までの距離は、８０ｍｍ以上離れて配置されている。なお１００ｍｍ以上離れて配置されていることが望ましい。また第二延設部６０７は、後述の底部６０４よりも高い位置に配置することが望ましい。その配置によって、エンジンやエンジンカバーの接触による損傷等を防止できる。第二延設部６０７は、図２に示すように同一面状に一対の幅広延設部６０７ａを有する。一対の幅広延設部６０７ａは、インシュレータを配設するためクリップを差し込むための孔６０９を設けるためにスペースをとった部位である。なお孔６０９の用途は、限定されない。幅広延設部６０７ａは、他の第二延設部６０７の部位よりも幅を広くとっており、平面視で、なだらかな湾曲状に形成されている。なお孔６０９は、他に開口部１６４の周縁のフードインナパネル前部１６０とフードインナパネル後部１６２との境界部分に一対配置されており、フードインナパネル後部１６２の略中央にも配置されている。
【００２３】
底部６０４は、図３及び図４に示すようにフードインナパネル前部１６０の底で略平板状に形成される部位である。底部６０４は、前壁部６０２と縁部６０６との間に形成されている。底部６０４の前端側（一端側）は、前壁部６０２に接続されている。底部６０４の後端側（他端側）は、縁部６０６に接続されている。底部６０４は、図４に示すようにストライカ用開口部４２を有する。ストライカ用開口部４２は、ストライカ６４を貫通して配置するために設けられた開口である。ストライカ用開口部４２は、略十字状に縁取られて形成されている。ストライカ用開口部４２は、車両の車幅方向に対してフードインナパネル前部１６０（フードインナパネル１６）の略中央部分に形成されている。またストライカ用開口部４２の上方には、ストライカリインフォース６６やロックリインフォース６２等が配置されている。
【００２４】
図２及び図４に示されるストライカ６４は、フード１０と車両Ｃの車体とをロックするための部材である。ストライカ６４は、金属製で略Ｕ字状に形成されている。ストライカ６４は、図２に示すように前後一対の基端部が車両の車幅方向の一方側と他方側とに各々曲げられており、その各基端部がフードインナパネル前部１６０の上方側でストライカリインフォース６６とロックリインフォース６２との間に挟まれるようにして固定されている。またストライカ６４は、ストライカ用開口部４２及びロックリインフォース開口部６２２を貫通した状態で配置されている。その配置されたストライカ６４によって、車体側のフードロック（図示しない）と係合されてエンジンルームＥＲが閉じられる。
【００２５】
図２及び図４に示されるストライカリインフォース６６は、ストライカ６４を支持する部材である。ストライカリインフォース６６は、断面視で車両の前後方向に一対の凹部を有する部材である。ストライカリインフォース６６は、その凹部にストライカ６４を嵌合するようにして接合されている。そのストライカリインフォース６６は、ロックリインフォース６２の上面に接合されている。
【００２６】
図２及び図４に示されるロックリインフォース６２は、フードインナパネル前部１６０（フードインナパネル１６）の車両の車幅方向における略中央部分に配置されることで、ストライカ６４が接合される部位を補強する部材である。ロックリインフォース６２は、ロックリインフォース開口部６２２と、傾斜部６８４とを有し、平面視で略矩形状に形成されている。ロックリインフォース６２は、厚さが１．１ｍｍ〜１．４ｍｍ程度で略平板状に形成されている。ロックリインフォース６２は、底部６０４の上面側に接合されている。ロックリインフォース開口部６２２は、ストライカ６４を貫通するために形成された開口である。その開口は、ロックリインフォース６２の略中央部分に形成されている。ロックリインフォース開口部６２２は、ストライカ用開口部４２に重なるようにして配置されている。その配置されたことによる接合によってストライカ６４の取り付け部分の周囲が補強されている。傾斜部６８４は、舌状に形成された長細い部位である。その部位は、車両の車幅方向に沿って、ロックリインフォース６２の後端で横並びに複数箇所配置されている。それらの各傾斜部６８４における長手方向の端部は、デントリインフォース６８に重ね合わせられて接続されている。
【００２７】
図２及び図４に示されるデントリインフォース６８は、フードアウタパネル１２の前側の車幅方向における略中央部分を支持する部材である。デントリインフォース６８は、フードインナパネル前部１６０（フードインナパネル１６）の車両の車幅方向における略中央部分の上部に配置されている。その配置されたデントリインフォース６８は、複数配置された前部マスチックシーラ６８０を介してフードアウタパネル１２に接合されている。前部マスチックシーラ６８０は、デントリインフォース６８とフードアウタパネル１２を接合し、フード１０を補強や防振するためのものである。前部マスチックシーラ６８０は、発泡材を主成分として形成している。なお他の樹脂製の素材を主成分としてもよい。前部マスチックシーラ６８０は、車両の車幅方向に沿って横並びに複数配置されている。その複数配置された前部マスチックシーラ６８０は、車両の前後方向に複数列（例えば、３列）に亘って配置されている。デントリインフォース６８は、上面側がフードアウタパネル１２に接合され、後端側が傾斜部６８４に重ね合わせられて接続されている。
【００２８】
フードインナパネル後部１６２は、図２に示すように車両の車幅方向の一端側から他端側に亘って連続して形成されている。フードインナパネル後部１６２は、図２〜図４に示すようにフードアウタパネル１２の裏面に対して、フードインナパネル後部１６２の前側と、その後側とで接合されている。フードインナパネル後部１６２の前側（開口部１６４の周縁の後側）は、接合する部位と、接合しない部位とが交互に並んでいる。その接合する部位は、複数配置された後部マスチックシーラ６８２を介して、フードアウタパネル１２と接合している。後部マスチックシーラ６８２は、フードインナパネル１６とフードアウタパネル１２を接合し、フード１０を補強や防振するためのものである。後部マスチックシーラ６８２は、発泡材を主成分として形成している。なお他の樹脂製の素材を主成分としてもよい。またその一方で、接合しない部位は、フードインナパネル後部１６２とフードアウタパネル１２とが離間した状態で、隙間を形成している。フードインナパネル後部１６２の後側（フードインナパネル１６の後端側）は、ヘミング接合により、フードアウタパネル１２と接合されている。そのヘミング接合された部位は、フードアウタパネル１２の表面から折り返され、その折り返されたフードアウタパネル１２がフードインナパネル後部１６２を挟むようにして形成されている。
【００２９】
図５に示されるフードアウタパネル１２とフードインナパネル１６とのヘミング接合は、断面視でより剥がれ難く、強固にするために接着剤１００を使用したものである。その接着剤１００を使用したヘミング接合により接合された領域ＨＡは、図２に示すようにフードインナパネル１６の外周縁に沿って、一方のフードインナパネル１６の斜め前端から開始して、フードインナパネル１６（フードインナパネル後部１６２）の後端を介して、他方のフードインナパネル１６の斜め前端に亘って形成されている。即ち、領域ＨＡは、フードモール１４の配置部位を除くフード１０の外周縁に形成されている。なおフード１０の略全外周縁の領域は、フードアウタパネル１２によって折り返された先端部分に、塗装のひびや劣化等を防止するシーラー１１０が塗布されている。
【００３０】
図６に示されるグラフは、歩行者衝突時の歩行者頭部が受ける衝撃力の大きさ及び経過時間を示したものである。そのグラフは、縦軸をＧ、横軸を時間（ｔ）として示される。Ｇは、衝撃力の大きさを表す記号であり、この値が大きいほど衝撃力が大きいことを示している。時間（ｔ）は、衝突時から衝突直後のある一定の時間までの経過時間を示している。点線で示した折れ線は、フードインナパネルの各開口部の間に残された硬い骨格のある従来の構成の結果を示したものである。実線で示した折れ線は、本実施形態の構成の結果を示したものである。グラフで示した通り、本実施形態の構成では、すべての時間（ｔ）において、従来の構成よりＧが小さいという結果であった。本実施形態の構成では、阻害していた各開口部の間に残された硬い骨格部分を有さないフードインナパネル１６が、フード１０への衝突時における人の頭部Ｈの進入を妨げないので、衝撃をやわらげることができる。そのため、頭部Ｈの障害を軽減できる。また本実施形態の構成では、従来の構成と比べてフード１０の変形量が大きくなり、歩行者頭部が受ける衝撃力の大きさのピークが小さくなる。さらに本実施形態の構成では、従来の構成と比べて自動車が一定の速度で歩行者をはね歩行者頭部がフード１０に衝突する際、その衝突開始時におけるフード１０への衝突速度に比べて、その衝突直後、緩やかにその衝突速度が減速するため、歩行者頭部への衝撃荷重も小さくなる。
【００３１】
以上のように第１の実施形態は、次のような作用効果を奏する。本実施形態のフード１０において、フードインナパネル１６は、車両の車幅方向の一端側から他端側に亘って開口し、その前端がストライカ６４の後方に位置される開口部１６４を有する。またフード１０は、この開口部１６４の周縁に、この開口部１６４側に向けて段を形成する段部（第一延設部６０５又は第二延設部６０７）を備え、この段部は、開口部１６４の周縁に沿って車両の車幅方向の一端側から他端側に亘ってフードアウタパネル１２と離間して形成されている。フードインナパネル１６が、開口部１６４を有し、開口部１６４が車両の車幅方向の一端側から他端側に亘って開口しているためフードへの衝突時における人の頭部Ｈの進入を妨げないので、衝撃をやわらげることができる。そのため、頭部Ｈの障害を軽減できる。また開口部１６４の周縁に沿って車両の車幅方向の一端側から他端側に亘って形成された開口部１６４の周縁の段部によって、フード１０の使用時の剛性を維持できる。さらに段部が、フードアウタパネル１２と離間されて形成されるので、歩行者がフード１０に衝突した際に、フードアウタパネル１２が変形したときフードインナパネル１６の段部に接触しにくく変形量を確保することできる。
【００３２】
このフード１０では、段部は、開口部１６４の周縁のうち、フードインナパネル１６の前部側に形成されている。そのため、開口部１６４の周縁のうち、より接触しやすいフードインナパネル１６の前部側に形成されるので、必要な部分に応じてさらに効率よく、フード１０の使用時の剛性を維持しながら、歩行者がフード１０に衝突した際の変形量を確保することできる。
【００３３】
またこのフード１０では、開口部１６４の周縁は、複数の段部（第一延設部６０５、第二延設部６０７）を有し、各段部は、開口部１６４の周縁に沿って車両の車幅方向の一端側から他端側に亘って形成されている。このように配置される段部は、段部の面積が大きくなればなるほど、段部の面積を稼ぐことができるため、使用時の剛性を向上させるためには、面積を稼ぐことが望ましい。一方、その場合、段部によってフードアウタパネル１２とフードインナパネル１６との間の空間部分が部分的に狭くなり衝突時の変形量の確保できなくなる恐れやフードアウタパネル１２がフードインナパネル１６へ接触し易くなる恐れがある。しかし、本実施形態では、段部を有する開口部１６４の周縁は、複数の段部の形状によって、段部の面積をできるだけ小さくしながら、その各段部により剛性を向上することができるので、段部の面積を大きくする必要がない。したがって、効率よく、フード１０の使用時の剛性を維持しながら、歩行者がフード１０に衝突した際の変形量を確保することできる。
【００３４】
またこのフード１０は、車両の前後方向の長さより車両の車幅方向の長さが大きい。そうすることで、車両の前後方向の長さより車両の車幅方向の長さが小さいものに比べて、車両の車幅方向の一端側から他端側に亘って開口する開口部１６４を有する場合であってもフードインナパネル１６の剛性を維持しやすい。また車両の前後方向の長さより車両の車幅方向の長さを大きくしてバランスよくフード１０全体の剛性を維持しながら、歩行者がフード１０に衝突した際の変形量を確保することできる。
【００３５】
本実施形態のフード１０は、上述した実施形態に限定されるものではなく他の形態でも実施できる。本実施形態では、フード１０は、ミニバンタイプの車両Ｃに適用したがこれに限られるものではない。他の車種や車両に適用してもよい。
【００３６】
また本実施形態のフードインナパネル１６の段部は、ストライカ６４の後方から、フロントガラスの下端とフード１０との間に配設されたカウルルーバー（図示せず）のシールされている位置までの範囲に配置されることが好ましい。
【００３７】
また本実施形態のフード１０は、デントリインフォース６８を設けたがこれに限られるものではない。デントリインフォース６８を有しない構成を適用してもよい。そうすることで、さらに衝突時の変形量を確保でき、歩行者をより安全に保護できる。
【００３８】
また本実施形態のフード１０の段部は、第二延設部６０７としたがこれに限られるものではない。第二延設部６０７のない構成とし第一延設部６０５を下方に向けて湾曲させ、その第一延設部６０５の開口部１６４側の先端部分を段部として適用してもよい。この場合の第一延設部６０５は、適宜必要に応じて断面視の長さを調整できる。
【００３９】
また本実施形態のフード１０では、第一延設部６０５と第二延設部６０７との２面の段部（複数の段部）が、車両の車幅方向の一端側から他端側に亘って連続して形成されているが、これに限られるものではない。車両の車幅方向の一端側から他端側に亘って連続して形成されている面を３面（３段）以上設けて複数の段部を形成してもよい。
【符号の説明】
【００４０】
１０    フード
１２    フードアウタパネル
１４    フードモール
１６    フードインナパネル
４２    ストライカ用開口部
６２    ロックリインフォース
６４    ストライカ
６６    ストライカリインフォース
６８    デントリインフォース
１００  接着剤
１１０  シーラー
１６０  フードインナパネル前部
１６２  フードインナパネル後部
１６４  開口部
６０１  第一曲部
６０２  前壁部
６０３  第二曲部
６０４  底部
６０５  第一延設部
６０６  縁部
６０７  第二延設部
６０９  孔
６２２  ロックリインフォース開口部
６８０  前部マスチックシーラ
６８２  後部マスチックシーラ
６８４  傾斜部
【図１】
0006524436.tif 000002
【図２】
0006524436.tif 000003
【図３】
0006524436.tif 000004
【図４】
0006524436.tif 000005
【図５】
0006524436.tif 000006
【図６】
0006524436.tif 000007